(57)【要約】【課題】本発明は回転可能な装飾品ラックを開示した。【解決手段】フレームを含み、前記クレームの中には回転チャンバが設置され、前記回転チャンバの中には回転ブロックが回転軸の回転によって設置され、前記回転チャンバの前側面の中には回転装置が設置され、前記回転軸の前端が前記回転装置と動力が伝達できるように連結され、前記回転ブロックの外周には四組の前後対称の支持ロッドが均一に固定的に設置され、本発明は構成が簡単で、操作が便利であり、装飾品が装飾品ラックの内部に置かれ、埃が積もることを防止する作用を持ち、そのほか、装飾品は装飾品ブロックにつれて固定の位置に回転した時、照明ライトは装飾品を明るく照らすことができ、観賞と取ることに便利を与え、また装飾品ブロックが回転する過程には、装飾品が落ちないように始終に保持でき、安定性がよい。【選択図】図１
2020182792.tif 000002
【特許請求の範囲】
【請求項１】
正面視で、フレームを含み、前記クレームの中には回転チャンバが設置され、前記回転チャンバの中には回転ブロックが回転軸の回転によって設置され、前記回転チャンバの前側面の中には回転装置が設置され、前記回転軸の前端が前記回転装置と動力が伝達できるように連結され、前記回転ブロックの外周には四組の前後対称の支持ロッドが均一に固定的に設置され、前記支持ロッドの間にはコンロッドが固定的に設置され、前記コンロッドには柱状回転ブロックが固定的に設置され、前記柱状回転ブロックの外周には四つの摩擦支持ブロックが均一に固定的に設置され、前記柱状回転ブロックには回転できる装飾品ブロックが嵌められるように取り付けられ、前記摩擦支持ブロックが前記装飾品ブロックの内壁と当接しており、それによって前記装飾品ブロックが回転しない時に前記柱状回転ブロックと安定的に連結され、前記装飾品ブロックには装飾品を置くことができる装飾品溝が設置され、前記回転チャンバの内壁には四つの固定ブロックが固定的に設置され、前記固定ブロックは、前記支持ロッドが前記装飾品ブロックを回転連動させた時に前記装飾品ブロックに前記柱状回転ブロックを回って回転させ、それによって前記装飾品ブロックが始終に上方に開口しており、前記回転チャンバの後端壁の中には通電装置が設置され、前記回転チャンバの上側には抜き溝が外部空間と連通するように設置され、前記抜き溝の左右両側には対称の照明溝が連通するように設置され、前記照明溝の中には取り付けロッドが固定的に設置され、前記取り付けロッドにはＬＥＤライトが取り付けられ、前記ＬＥＤライトが前記通電装置と電線によって通電できるように連結され、前記抜き溝の中には透明カバー板が開閉軸によって回転できるように設置され、前記透明カバー板には引っ掛かり溝が設置され、前記抜き溝の左側面の中にはロック解除装置が設置され、前記ロック解除装置と前記引っ掛かり溝とが引っ掛かるように連結されることができ、前記抜き溝の右側面の中には噛み合い溝が連通するように設置され、前記開閉軸の右端が前記噛み合い溝の中に伸びており、また前記開閉軸の右端には第一ベベルギヤが固定的に設置され、前記第一ベベルギヤの下側には第二ベベルギヤが噛み合うように連結され、前記第二ベベルギヤが前記回転装置と動力が伝達できるように連結され、前記回転ブロックが回転し、それによって前記装飾品溝が間欠的に前記抜き溝の下側に回転し、前記ＬＥＤライトが前記装飾品溝の中の装飾品を明るく照らし、また前記抜き溝によって装飾品を取ることができ、前記装飾品ブロックが回転して前記抜き溝から離れた時、前記ＬＥＤライトを消すことを特徴とする回転可能な装飾品ラック。
【請求項２】
前記回転装置は前記回転チャンバと連通している伝動チャンバを含み、前記回転軸の前端が前記伝動チャンバの中に伸びており、前記伝動チャンバの中にある前記回転軸には四分の一の歯状の不規則ギヤが固定的に設置され、前記不規則ギヤの右側には回転ギヤが噛み合うように連結され、前記回転ギヤの軸心のところには後端が前記伝動チャンバの後端壁と回転できるように連結されたスプラインスリーブが固定的に設置され、前記伝動チャンバの前側には動力チャンバが連通するように設置され、前記動力チャンバの中には動力スライドブロックがスライドできるように設置され、前記動力スライドブロックの前端と前記動力チャンバとの間には圧縮バネが固定的に設置され、前記動力スライドブロックの中にはモーターが固定的に設置され、前記モーターの後端には前記スプラインスリーブとスプラインによって連結されたスプライン軸が動力が伝達できるように連結され、前記動力チャンバの左端壁の中には噛み合いギヤが回転できるように設置され、前記噛み合いギヤが前記動力スライドブロックと噛み合っており、前記噛み合いギヤの芯棒の頂端が前記噛み合い溝の中に伸びており、前記芯棒が前記第二ベベルギヤと固定的に連結され、前記動力チャンバの右端壁の中には押し溝が連通するように設置され、前記押し溝の中には左端が前記動力スライドブロックとヒンジで連結された回転ロッドが回転できるように設置され、前記回転ロッドの右端には押しブロックがヒンジで連結され、前記押しブロックの前端が外部空間に伸びており、前記モーターが前記回転ブロックを駆動して回転させることができ、それによって四つの前記装飾品ブロックが間欠的に回転して装飾品を展示し、前記押しブロックを後方へ押し、それによって前記モーターが前記回転ブロックを駆動して回転させることを停止することを特徴とする請求項１に記載の回転可能な装飾品ラック。
【請求項３】
前記通電装置は前記回転チャンバの後側面の中に連通するように設置された通電チャンバを含み、前記通電チャンバの中には外部空間の電源と通電できるように連結された電気貯蔵ブロックが取り付けられ、前記電気貯蔵ブロックの中には左右対称の通電溝が設置され、前記電気貯蔵ブロックの前側には通電板が設置され、前記通電板の後端面には左右対称の通電ブロックが通電できるように取り付けられ、前記通電ブロックが前記通電溝の中に差し込まれるように連結されて通電し、前記電線の下端が前記通電板と通電できるように連結され、前記通電板の前端には絶縁の移動ブロックが取り付けられ、前記移動ブロックの前端が前記回転チャンバの中に伸びており、前記通電チャンバの中にある前記移動ブロックにはトーションバネが嵌められるように設置され、前記支持ロッドが前記移動ブロックを後方へ押すと、前記通電ブロックが前記通電溝の中に差し込まれるように連結され、前記電線によって前記ライトが光ることを特徴とする請求項１に記載の回転可能な装飾品ラック。
【請求項４】
前記ロック解除装置は前記抜き溝の左側面の中に連通するように設置されたスライド溝を含み、前記スライド溝の中には前記引っ掛かり溝の中に引っ掛かるように連結されることができる引っ掛かりブロックがスライドできるように設置され、前記引っ掛かりブロックの左端と前記スライド溝との間には圧力バネが固定的に設置され、前記引っ掛かりブロックの中には当接溝が設置され、前記当接溝の中には推しブロックがスライドできるように設置され、前記推しブロックの前端が外部空間に伸びており、前記推しブロックの右側面には前記推しブロックを復帰させることができる復帰部品が固定的に設置され、前記透明カバー板が前記抜き溝を開けた時、前記引っ掛かりブロックが前記引っ掛かり溝の中に引っ掛かるように連結され、それによって前記透明カバー板の位置を固定することができ、前記推しブロックを後方へ押すと、前記引っ掛かりブロックが前記引っかかり溝との引っ掛かりから離脱し、それによって前記透明カバー板が自由に回転できることを特徴とする請求項１に記載の回転可能な装飾品ラック。
【発明の詳細な説明】
【技術分野】
【０００１】
本発明は装飾品技術分野に関わり、具体的には回転可能な装飾品ラックである。
【背景技術】
【０００２】
既存の回転可能な装飾品ラックは、装飾品の方向を統一するため、装飾品を常に装飾品ラックに掛け、それによって装飾品が回転する過程には、装飾品を取り付けるのは不便であり、装飾品の美観性を高めるため、装飾品ラックのライトは始終に光る状態にあり、電気を費やし、また装飾品ラックの装飾品は外部空間に露出していなく、装飾品には埃が積もるので、クリーニングは不便であり、したがって、既存技術の装飾品ラックを更に改善する必要があり、それによって装飾品ラックの利便性を高める。
【先行技術文献】
【特許文献】
【０００３】
【特許文献１】中国特許出願公開第１０３６２２３２５号明細書
【発明の概要】
【発明が解決しようとする課題】
【０００４】
本発明は回転可能な装飾品ラックを提供し、既存技術にある上記の欠点を解消することを目的とする。
【課題を解決するための手段】
【０００５】
フレームを含み、前記クレームの中には回転チャンバが設置され、前記回転チャンバの中には回転ブロックが回転軸の回転によって設置され、前記回転チャンバの前側面の中には回転装置が設置され、前記回転軸の前端が前記回転装置と動力が伝達できるように連結され、前記回転ブロックの外周には四組の前後対称の支持ロッドが均一に固定的に設置され、前記支持ロッドの間にはコンロッドが固定的に設置され、前記コンロッドには柱状回転ブロックが固定的に設置され、前記柱状回転ブロックの外周には四つの摩擦支持ブロックが均一に固定的に設置され、前記柱状回転ブロックには回転できる装飾品ブロックが嵌められるように取り付けられ、前記摩擦支持ブロックが前記装飾品ブロックの内壁と当接しており、それによって前記装飾品ブロックが回転しない時に前記柱状回転ブロックと安定的に連結され、前記装飾品ブロックには装飾品を置くことができる装飾品溝が設置され、前記回転チャンバの内壁には四つの固定ブロックが固定的に設置され、前記固定ブロックは、前記支持ロッドが前記装飾品ブロックを回転連動させた時に前記装飾品ブロックに前記柱状回転ブロックを回って回転させ、それによって前記装飾品ブロックが始終に上方に開口しており、前記回転チャンバの後端壁の中には通電装置が設置され、前記回転チャンバの上側には抜き溝が外部空間と連通するように設置され、前記抜き溝の左右両側には対称の照明溝が連通するように設置され、前記照明溝の中には取り付けロッドが固定的に設置され、前記取り付けロッドにはＬＥＤライトが取り付けられ、前記ＬＥＤライトが前記通電装置と電線によって通電できるように連結され、前記抜き溝の中には透明カバー板が開閉軸によって回転できるように設置され、前記透明カバー板には引っ掛かり溝が設置され、前記抜き溝の左側面の中にはロック解除装置が設置され、前記ロック解除装置と前記引っ掛かり溝とが引っ掛かるように連結されることができ、前記抜き溝の右側面の中には噛み合い溝が連通するように設置され、前記開閉軸の右端が前記噛み合い溝の中に伸びており、また前記開閉軸の右端には第一ベベルギヤが固定的に設置され、前記第一ベベルギヤの下側には第二ベベルギヤが噛み合うように連結され、前記第二ベベルギヤが前記回転装置と動力が伝達できるように連結され、前記回転ブロックが回転し、それによって前記装飾品溝が間欠的に前記抜き溝の下側に回転し、前記ＬＥＤライトが前記装飾品溝の中の装飾品を明るく照らし、また前記抜き溝によって装飾品を取ることができ、前記装飾品ブロックが回転して前記抜き溝から離れた時、前記ＬＥＤライトを消す。
【０００６】
さらなる技術プランには、前記回転装置は前記回転チャンバと連通している伝動チャンバを含み、前記回転軸の前端が前記伝動チャンバの中に伸びており、前記伝動チャンバの中にある前記回転軸には四分の一の歯状の不規則ギヤが固定的に設置され、前記不規則ギヤの右側には回転ギヤが噛み合うように連結され、前記回転ギヤの軸心のところには後端が前記伝動チャンバの後端壁と回転できるように連結されたスプラインスリーブが固定的に設置され、前記伝動チャンバの前側には動力チャンバが連通するように設置され、前記動力チャンバの中には動力スライドブロックがスライドできるように設置され、前記動力スライドブロックの前端と前記動力チャンバとの間には圧縮バネが固定的に設置され、前記動力スライドブロックの中にはモーターが固定的に設置され、前記モーターの後端には前記スプラインスリーブとスプラインによって連結されたスプライン軸が動力が伝達できるように連結され、前記動力チャンバの左端壁の中には噛み合いギヤが回転できるように設置され、前記噛み合いギヤが前記動力スライドブロックと噛み合っており、前記噛み合いギヤの芯棒の頂端が前記噛み合い溝の中に伸びており、前記芯棒が前記第二ベベルギヤと固定的に連結され、前記動力チャンバの右端壁の中には押し溝が連通するように設置され、前記押し溝の中には左端が前記動力スライドブロックとヒンジで連結された回転ロッドが回転できるように設置され、前記回転ロッドの右端には押しブロックがヒンジで連結され、前記押しブロックの前端が外部空間に伸びており、前記モーターが前記回転ブロックを駆動して回転させることができ、それによって四つの前記装飾品ブロックが間欠的に回転して装飾品を展示し、前記押しブロックを後方へ押し、それによって前記モーターが前記回転ブロックを駆動して回転させることを停止する。
【０００７】
さらなる技術プランには、前記通電装置は前記回転チャンバの後側面の中に連通するように設置された通電チャンバを含み、前記通電チャンバの中には外部空間の電源と通電できるように連結された電気貯蔵ブロックが取り付けられ、前記電気貯蔵ブロックの中には左右対称の通電溝が設置され、前記電気貯蔵ブロックの前側には通電板が設置され、前記通電板の後端面には左右対称の通電ブロックが通電できるように取り付けられ、前記通電ブロックが前記通電溝の中に差し込まれるように連結されて通電し、前記電線の下端が前記通電板と通電できるように連結され、前記通電板の前端には絶縁の移動ブロックが取り付けられ、前記移動ブロックの前端が前記回転チャンバの中に伸びており、前記通電チャンバの中にある前記移動ブロックにはトーションバネが嵌められるように設置され、前記支持ロッドが前記移動ブロックを後方へ押すと、前記通電ブロックが前記通電溝の中に差し込まれるように連結され、前記電線によって前記ライトが光る。
【０００８】
さらなる技術プランには、前記ロック解除装置は前記抜き溝の左側面の中に連通するように設置されたスライド溝を含み、前記スライド溝の中には前記引っ掛かり溝の中に引っ掛かるように連結されることができる引っ掛かりブロックがスライドできるように設置され、前記引っ掛かりブロックの左端と前記スライド溝との間には圧力バネが固定的に設置され、前記引っ掛かりブロックの中には当接溝が設置され、前記当接溝の中には推しブロックがスライドできるように設置され、前記推しブロックの前端が外部空間に伸びており、前記推しブロックの右側面には前記推しブロックを復帰させることができる復帰部品が固定的に設置され、前記透明カバー板が前記抜き溝を開けた時、前記引っ掛かりブロックが前記引っ掛かり溝の中に引っ掛かるように連結され、それによって前記透明カバー板の位置を固定することができ、前記推しブロックを後方へ押すと、前記引っ掛かりブロックが前記引っかかり溝との引っ掛かりから離脱し、それによって前記透明カバー板が自由に回転できる。
【発明の効果】
【０００９】
本発明の有益な効果は：本発明は構成が簡単で、操作が便利であり、装飾品が装飾品ラックの内部に置かれ、埃が積もることを防止する作用を持ち、そのほか、装飾品は装飾品ブロックにつれて固定の位置に回転した時、照明ライトは装飾品を明るく照らすことができ、観賞と取ることに便利を与え、また装飾品ブロックが回転する過程には、装飾品が落ちないように始終に保持でき、安定性がよい。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の回転可能な装飾品ラックの内部全体構造略図
【図２】図２は本発明の中の図１の中の「Ａ―Ａ」の拡大構造略図
【図３】図３は本発明の中の図１の中の「Ｂ―Ｂ」の拡大構造略図
【図４】図４は本発明の中の図１の中の「Ｃ―Ｃ」の拡大構造略図
【図５】図５は本発明の中の図１の中の「Ｄ―Ｄ」方向の構造略図
【図６】図６は本発明の中の図５の中の「Ｅ―Ｅ」の拡大構造略図
【発明を実施するための形態】
【００１２】
図１〜６を参照し、正面視で外側にはフレーム１０があり、内側には回転ブロック１３がある回転可能な装飾品ラックは、フレーム１０を含み、前記クレーム１０の中には回転チャンバ１１が設置され、前記回転チャンバ１１の中には回転ブロック１３が回転軸１４の回転によって設置され、前記回転チャンバ１１の前側面の中には回転装置１００が設置され、前記回転軸１４の前端が前記回転装置１００と動力が伝達できるように連結され、前記回転ブロック１３の外周には四組の前後対称の支持ロッド２９が均一に固定的に設置され、前記支持ロッド２９の間にはコンロッド３０が固定的に設置され、前記コンロッド３０には柱状回転ブロック３１が固定的に設置され、前記柱状回転ブロック３１の外周には四つの摩擦支持ブロック３４が均一に固定的に設置され、前記柱状回転ブロック３１には回転できる装飾品ブロック３２が嵌められるように取り付けられ、前記摩擦支持ブロック３４が前記装飾品ブロック３２の内壁と当接しており、それによって前記装飾品ブロック３２が回転しない時に前記柱状回転ブロック３１と安定的に連結され、前記装飾品ブロック３２には装飾品を置くことができる装飾品溝３３が設置され、前記回転チャンバ１１の内壁には四つの固定ブロック１２が固定的に設置され、前記固定ブロック１２は、前記支持ロッド２９が前記装飾品ブロック３２を回転連動させた時に前記装飾品ブロック３２に前記柱状回転ブロック３１を回って回転させ、それによって前記装飾品ブロック３２が始終に上方に開口しており、前記回転チャンバ１１の後端壁の中には通電装置２００が設置され、前記回転チャンバ１１の上側には抜き溝４３が外部空間と連通するように設置され、前記抜き溝４３の左右両側には対称の照明溝４４が連通するように設置され、前記照明溝４４の中には取り付けロッド４６が固定的に設置され、前記取り付けロッド４６にはＬＥＤライト４５が取り付けられ、前記ＬＥＤライト４５が前記通電装置２００と電線３９によって通電できるように連結され、前記抜き溝４３の中には透明カバー板４７が開閉軸４８によって回転できるように設置され、前記透明カバー板４７には引っ掛かり溝５２が設置され、前記抜き溝４３の左側面の中にはロック解除装置３００が設置され、前記ロック解除装置３００と前記引っ掛かり溝５２とが引っ掛かるように連結されることができ、前記抜き溝４３の右側面の中には噛み合い溝４９が連通するように設置され、前記開閉軸４８の右端が前記噛み合い溝４９の中に伸びており、また前記開閉軸４８の右端には第一ベベルギヤ５０が固定的に設置され、前記第一ベベルギヤ５０の下側には第二ベベルギヤ５１が噛み合うように連結され、前記第二ベベルギヤ５１が前記回転装置１００と動力が伝達できるように連結され、前記回転ブロック１３が回転し、それによって前記装飾品溝３３が間欠的に前記抜き溝４３の下側に回転し、前記ＬＥＤライト４５が前記装飾品溝３３の中の装飾品を明るく照らし、また前記抜き溝４３によって装飾品を取ることができ、前記装飾品ブロック３２が回転して前記抜き溝４３から離れた時、前記ＬＥＤライト４５を消す。
【００１３】
有益なように、前記回転装置１００は前記回転チャンバ１１と連通している伝動チャンバ１５を含み、前記回転軸１４の前端が前記伝動チャンバ１５の中に伸びており、前記伝動チャンバ１５の中にある前記回転軸１４には四分の一の歯状の不規則ギヤ１６が固定的に設置され、前記不規則ギヤ１６の右側には回転ギヤ１７が噛み合うように連結され、前記回転ギヤ１７の軸心のところには後端が前記伝動チャンバ１５の後端壁と回転できるように連結されたスプラインスリーブ１８が固定的に設置され、前記伝動チャンバ１５の前側には動力チャンバ２２が連通するように設置され、前記動力チャンバ２２の中には動力スライドブロック２０がスライドできるように設置され、前記動力スライドブロック２０の前端と前記動力チャンバ２２との間には圧縮バネ２３が固定的に設置され、前記動力スライドブロック２０の中にはモーター２１が固定的に設置され、前記モーター２１の後端には前記スプラインスリーブ１８とスプラインによって連結されたスプライン軸１９が動力が伝達できるように連結され、前記動力チャンバ２２の左端壁の中には噛み合いギヤ２５が回転できるように設置され、前記噛み合いギヤ２５が前記動力スライドブロック２０と噛み合っており、前記噛み合いギヤ２５の芯棒２４の頂端が前記噛み合い溝４９の中に伸びており、前記芯棒２４が前記第二ベベルギヤ５１と固定的に連結され、前記動力チャンバ２２の右端壁の中には押し溝２７が連通するように設置され、前記押し溝２７の中には左端が前記動力スライドブロック２０とヒンジで連結された回転ロッド２６が回転できるように設置され、前記回転ロッド２６の右端には押しブロック２８がヒンジで連結され、前記押しブロック２８の前端が外部空間に伸びており、前記モーター２１が前記回転ブロック１３を駆動して回転させることができ、それによって四つの前記装飾品ブロック３２が間欠的に回転して装飾品を展示し、前記押しブロック２８を後方へ押し、それによって前記モーター２１が前記回転ブロック１３を駆動して回転させることを停止する。
【００１４】
有益なように、前記通電装置２００は前記回転チャンバ１１の後側面の中に連通するように設置された通電チャンバ３５を含み、前記通電チャンバ３５の中には外部空間の電源と通電できるように連結された電気貯蔵ブロック４０が取り付けられ、前記電気貯蔵ブロック４０の中には左右対称の通電溝４１が設置され、前記電気貯蔵ブロック４０の前側には通電板３８が設置され、前記通電板３８の後端面には左右対称の通電ブロック４２が通電できるように取り付けられ、前記通電ブロック４２が前記通電溝４１の中に差し込まれるように連結されて通電し、前記電線３９の下端が前記通電板３８と通電できるように連結され、前記通電板３８の前端には絶縁の移動ブロック３６が取り付けられ、前記移動ブロック３６の前端が前記回転チャンバ１１の中に伸びており、前記通電チャンバ３５の中にある前記移動ブロック３６にはトーションバネ３７が嵌められるように設置され、前記支持ロッド２９が前記移動ブロック３６を後方へ押すと、前記通電ブロック４２が前記通電溝４１の中に差し込まれるように連結され、前記電線３９によって前記ライト４５が光る。
【００１５】
有益なように、前記ロック解除装置３００は前記抜き溝４３の左側面の中に連通するように設置されたスライド溝５３を含み、前記スライド溝５３の中には前記引っ掛かり溝５２の中に引っ掛かるように連結されることができる引っ掛かりブロック５４がスライドできるように設置され、前記引っ掛かりブロック５４の左端と前記スライド溝５３との間には圧力バネ５５が固定的に設置され、前記引っ掛かりブロック５４の中には当接溝５６が設置され、前記当接溝５６の中には推しブロック５７がスライドできるように設置され、前記推しブロック５７の前端が外部空間に伸びており、前記推しブロック５７の右側面には前記推しブロック５７を復帰させることができる復帰部品５８が固定的に設置され、前記透明カバー板４７が前記抜き溝４３を開けた時、前記引っ掛かりブロック５４が前記引っ掛かり溝５２の中に引っ掛かるように連結され、それによって前記透明カバー板４７の位置を固定することができ、前記推しブロック５７を後方へ押すと、前記引っ掛かりブロック５４が前記引っかかり溝５２との引っ掛かりから離脱し、それによって前記透明カバー板４７が自由に回転できる。
【００１６】
初期状態の時、透明カバー板４７が抜き溝４３を閉鎖し、前記通電ブロック４２が通電溝４１の中に差し込まれるように連結されていなく、装飾品溝３３の中に装飾品が置かれている。
【００１７】
本装置は作動する時、モーター２１が作動してスプライン軸１９を駆動して回転させ、それによってスプラインスリーブ１８が回転ギヤ１７を回転連動させ、不規則ギヤ１６が回転し、それによって回転ブロック１３が間欠的に回転し、一つの装飾品ブロック３２が抜き溝４３の下側の相対した位置に回転した時、不規則ギヤ１６が回転ギヤ１７との噛み合いから離脱し、回転ブロック１３が回転を停止し、支持ロッド２９が移動ブロック３６を押して後方へ移動させ、それによって通電ブロック１３が通電溝４１の中に差し込まれるように連結され、それによって電気貯蔵ブロック４０が電線３９によってＬＥＤライト４５に給電し、ＬＥＤライト４５が装飾品溝３３の中の装飾品を明るく照らし、装飾品溝３３の中の装飾品を取り出す時、押しブロック２８を後方へ押し、それによって動力スライドブロック２０が前方へ移動し、圧縮バネ２３が圧縮され、それによってスプライン軸１９がスプラインスリーブ１８との連結から離脱し、回転ブロック１３が回転を停止し、動力スライドブロック２０が前方へ移動する過程において、噛み合いギヤ２５が回転し、それによって第二ベベルギヤ５１が回転し、それによって透明カバー板４７が回転して抜き溝４３を開け、この時に、引っ掛かりブロック５４が引っ掛かり溝５２の中に引っ掛かるように連結され、抜き溝４３によって装飾品溝３３の中の装飾品を取り出した後、推しブロック５７を後方へ押し、それによって引っ掛かりブロック５４が左方へ移動して引っ掛かり溝５２から離脱し、圧縮バネ２３の作用の下で、動力スライドブロック２０が後方へ移動し、それによって噛み合いギヤ２５が反転し、芯棒２４によって透明カバー板４７が反転して抜き溝４３を閉鎖し、それによって装置は初期状態に戻り、回転ブロック１３が装飾品ブロック３２を継続して回転連動させ、装飾品ブロック３２が抜き溝４３の位置をずらす位置まで回転した時、支持ロッド２９が移動ブロック３６から離脱し、それによって移動ブロック３６が前方へ移動して通電溝４１が通電ブロック４２から離脱し、ＬＥＤライト４５が停電して消え、装飾品ブロック３２が次の位置に回転する過程において、固定ブロック１２によって装飾品ブロック３２が柱状回転ブロック３１を回って回転し、それによって装飾品溝３３が始終に上方に開口しており、内部の装飾品が落ちない。
【００１８】
本発明の有益な効果は：本発明は構成が簡単で、操作が便利であり、装飾品が装飾品ラックの内部に置かれ、埃が積もることを防止する作用を持ち、そのほか、装飾品は装飾品ブロックにつれて固定の位置に回転した時、照明ライトは装飾品を明るく照らすことができ、観賞と取ることに便利を与え、また装飾品ブロックが回転する過程には、装飾品が落ちないように始終に保持でき、安定性がよい。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020182792.tif 000003
【図２】
2020182792.tif 000004
【図３】
2020182792.tif 000005
【図４】
2020182792.tif 000006
【図５】
2020182792.tif 000007
【図６】
2020182792.tif 000008
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
正面視で、フレームを含み、前記フレームの中には回転チャンバが設置され、前記回転チャンバの中には回転ブロックが回転軸の回転によって設置され、前記回転チャンバの前側面の中には回転装置が設置され、前記回転軸の前端が前記回転装置と動力が伝達できるように連結され、前記回転ブロックの外周には四組の前後対称の支持ロッドが均一に固定的に設置され、前記支持ロッドの間にはコンロッドが固定的に設置され、前記コンロッドには柱状回転ブロックが固定的に設置され、前記柱状回転ブロックの外周には四つの摩擦支持ブロックが均一に固定的に設置され、前記柱状回転ブロックには回転できる装飾品ブロックが嵌められるように取り付けられ、前記摩擦支持ブロックが前記装飾品ブロックの内壁と当接しており、それによって前記装飾品ブロックが回転しない時に前記柱状回転ブロックと安定的に連結され、前記装飾品ブロックには装飾品を置くことができる装飾品溝が設置され、前記回転チャンバの内壁には四つの固定ブロックが固定的に設置され、前記固定ブロックは、前記支持ロッドが前記装飾品ブロックを回転連動させた時に前記装飾品ブロックに前記柱状回転ブロックを回って回転させ、それによって前記装飾品ブロックが始終に上方に開口しており、前記回転チャンバの後端壁の中には通電装置が設置され、前記回転チャンバの上側には抜き溝が外部空間と連通するように設置され、前記抜き溝の左右両側には対称の照明溝が連通するように設置され、前記照明溝の中には取り付けロッドが固定的に設置され、前記取り付けロッドにはＬＥＤライトが取り付けられ、前記ＬＥＤライトが前記通電装置と電線によって通電できるように連結され、前記抜き溝の中には透明カバー板が開閉軸によって回転できるように設置され、前記透明カバー板には引っ掛かり溝が設置され、前記抜き溝の左側面の中にはロック解除装置が設置され、前記ロック解除装置と前記引っ掛かり溝とが引っ掛かるように連結されることができ、前記抜き溝の右側面の中には噛み合い溝が連通するように設置され、前記開閉軸の右端が前記噛み合い溝の中に伸びており、また前記開閉軸の右端には第一ベベルギヤが固定的に設置され、前記第一ベベルギヤの下側には第二ベベルギヤが噛み合うように連結され、前記第二ベベルギヤが前記回転装置と動力が伝達できるように連結され、前記回転ブロックが回転し、それによって前記装飾品溝が間欠的に前記抜き溝の下側に回転し、前記ＬＥＤライトが前記装飾溝の中の装飾品を明るく照らし、また前記抜き溝によって装飾品を取ることができ、前記装飾品ブロックが回転して前記抜き溝から離れた時、前記ＬＥＤライトを消すことを特徴とする回転可能な装飾品ラック。
【請求項２】
前記回転装置は前記回転チャンバと連通している伝動チャンバを含み、前記回転軸の前端が前記伝動チャンバの中に伸びており、前記伝動チャンバの中にある前記回転軸には四分の一の歯状の不規則ギヤが固定的に設置され、前記不規則ギヤの右側には回転ギヤが噛み合うように連結され、前記回転ギヤの軸心のところには後端が前記伝動チャンバの後端壁と回転できるように連結されたスプラインスリーブが固定的に設置され、前記伝動チャンバの前側には動力チャンバが連通するように設置され、前記動力チャンバの中には動力スライドブロックがスライドできるように設置され、前記動力スライドブロックの前端と前記動力チャンバとの間には圧縮バネが固定的に設置され、前記動力スライドブロックの中にはモーターが固定的に設置され、前記モーターの後端には前記スプラインスリーブとスプラインによって連結されたスプライン軸が動力が伝達できるように連結され、前記動力チャンバの左端壁の中には噛み合いギヤが回転できるように設置され、前記噛み合いギヤが前記動力スライドブロックと噛み合っており、前記噛み合いギヤの芯棒の頂端が前記噛み合い溝の中に伸びており、前記芯棒が前記第二ベベルギヤと固定的に連結され、前記動力チャンバの右端壁の中には押し溝が連通するように設置され、前記押し溝の中には左端が前記動力スライドブロックとヒンジで連結された回転ロッドが回転できるように設置され、前記回転ロッドの右端には押しブロックがヒンジで連結され、前記押しブロックの前端が外部空間に伸びており、前記モーターが前記回転ブロックを駆動して回転させることができ、それによって四つの前記装飾品ブロックが間欠的に回転して装飾品を展示し、前記押しブロックを後方へ押し、それによって前記モーターが前記回転ブロックを駆動して回転させることを停止することを特徴とする請求項１に記載の回転可能な装飾品ラック。
【請求項３】
前記通電装置は前記回転チャンバの後側面の中に連通するように設置された通電チャンバを含み、前記通電チャンバの中には外部空間の電源と通電できるようにに連結された電気貯蔵ブロックが取り付けられ、前記電気貯蔵ブロックの中には左右対称の通電溝が設置され、前記電気貯蔵ブロックの前側には通電板が設置され、前記通電板の後端面には左右対称の通電ブロックが通電できるようにに取り付けられ、前記通電ブロックが前記通電溝の中に差し込まれるように連結されて通電し、前記電線の下端が前記通電板と通電できるように連結され、前記通電板の前端には絶縁の移動ブロックが取り付けられ、前記移動ブロックの前端が前記回転チャンバの中に伸びており、前記通電チャンバの中にある前記移動ブロックにはトーションバネが嵌められるように設置され、前記支持ロッドが前記移動ブロックを後方へ押すと、前記通電ブロックが前記通電溝の中に差し込まれるように連結され、前記電線によって前記ライトが光ることを特徴とする請求項１に記載の回転可能な装飾品ラック。
【請求項４】
前記ロック解除装置は前記抜き溝の左側面の中に連通するように設置されたスライド溝を含み、前記スライド溝の中には前記引っ掛かり溝の中に引っ掛かるように連結されることができる引っ掛かりブロックがスライドできるように設置され、前記引っ掛かりブロックの左端と前記スライド溝との間には圧力バネが固定的に設置され、前記引っ掛かりブロックの中には当接溝が設置され、前記当接溝の中には推しブロックがスライドできるように設置され、前記推しブロックの前端が外部空間に伸びており、前記推しブロックの右側面には前記推しブロックを復帰させることができる復帰部品が固定的に設置され、前記透明カバー板が前記抜き溝を開けた時、前記引っ掛かりブロックが前記引っ掛かり溝の中に引っ掛かるように連結され、それによって前記透明カバー板の位置を固定することができ、前記推しブロックを後方へ押すと、前記引っ掛かりブロックが前記引っかかり溝との引っ掛かりから離脱し、それによって前記透明カバー板が自由に回転できることを特徴とする請求項１に記載の回転可能な装飾品ラック。
【手続補正２】
【補正対象書類名】明細書
【補正対象項目名】全文
【補正方法】変更
【補正の内容】
【発明の詳細な説明】
【技術分野】
【０００１】
本発明は装飾品技術分野に関わり、具体的には回転可能な装飾品ラックである。
【背景技術】
【０００２】
既存の回転可能な装飾品ラックは、装飾品の方向を統一するため、装飾品を常に装飾品ラックに掛け、それによって装飾品が回転する過程には、装飾品を取り付けるのは不便であり、装飾品の美観性を高めるため、装飾品ラックのライトは始終に光る状態にあり、電気を費やし、また装飾品ラックの装飾品は外部空間に露出していなく、装飾品には埃が積もるので、クリーニングは不便であり、したがって、既存技術の装飾品ラックを更に改善する必要があり、それによって装飾品ラックの利便性を高める。
【先行技術文献】
【特許文献】
【０００３】
【特許文献１】中国特許出願公開第１０３６２２３２５号明細書
【発明の概要】
【発明が解決しようとする課題】
【０００４】
本発明は回転可能な装飾品ラックを提供し、既存技術にある上記の欠点を解消することを目的とする。
【課題を解決するための手段】
【０００５】
フレームを含み、前記フレームの中には回転チャンバが設置され、前記回転チャンバの中には回転ブロックが回転軸の回転によって設置され、前記回転チャンバの前側面の中には回転装置が設置され、前記回転軸の前端が前記回転装置と動力が伝達できるように連結され、前記回転ブロックの外周には四組の前後対称の支持ロッドが均一に固定的に設置され、前記支持ロッドの間にはコンロッドが固定的に設置され、前記コンロッドには柱状回転ブロックが固定的に設置され、前記柱状回転ブロックの外周には四つの摩擦支持ブロックが均一に固定的に設置され、前記柱状回転ブロックには回転できる装飾品ブロックが嵌められるように取り付けられ、前記摩擦支持ブロックが前記装飾品ブロックの内壁と当接しており、それによって前記装飾品ブロックが回転しない時に前記柱状回転ブロックと安定的に連結され、前記装飾品ブロックには装飾品を置くことができる装飾品溝が設置され、前記回転チャンバの内壁には四つの固定ブロックが固定的に設置され、前記固定ブロックは、前記支持ロッドが前記装飾品ブロックを回転連動させた時に前記装飾品ブロックに前記柱状回転ブロックを回って回転させ、それによって前記装飾品ブロックが始終に上方に開口しており、前記回転チャンバの後端壁の中には通電装置が設置され、前記回転チャンバの上側には抜き溝が外部空間と連通するように設置され、前記抜き溝の左右両側には対称の照明溝が連通するように設置され、前記照明溝の中には取り付けロッドが固定的に設置され、前記取り付けロッドにはＬＥＤライトが取り付けられ、前記ＬＥＤライトが前記通電装置と電線によって通電できるように連結され、前記抜き溝の中には透明カバー板が開閉軸によって回転できるように設置され、前記透明カバー板には引っ掛かり溝が設置され、前記抜き溝の左側面の中にはロック解除装置が設置され、前記ロック解除装置と前記引っ掛かり溝とが引っ掛かるように連結されることができ、前記抜き溝の右側面の中には噛み合い溝が連通するように設置され、前記開閉軸の右端が前記噛み合い溝の中に伸びており、また前記開閉軸の右端には第一ベベルギヤが固定的に設置され、前記第一ベベルギヤの下側には第二ベベルギヤが噛み合うように連結され、前記第二ベベルギヤが前記回転装置と動力が伝達できるように連結され、前記回転ブロックが回転し、それによって前記装飾品溝が間欠的に前記抜き溝の下側に回転し、前記ＬＥＤライトが前記装飾溝の中の装飾品を明るく照らし、また前記抜き溝によって装飾品を取ることができ、前記装飾品ブロックが回転して前記抜き溝から離れた時、前記ＬＥＤライトを消す。
【０００６】
さらなる技術プランには、前記回転装置は前記回転チャンバと連通している伝動チャンバを含み、前記回転軸の前端が前記伝動チャンバの中に伸びており、前記伝動チャンバの中にある前記回転軸には四分の一の歯状の不規則ギヤが固定的に設置され、前記不規則ギヤの右側には回転ギヤが噛み合うように連結され、前記回転ギヤの軸心のところには後端が前記伝動チャンバの後端壁と回転できるように連結されたスプラインスリーブが固定的に設置され、前記伝動チャンバの前側には動力チャンバが連通するように設置され、前記動力チャンバの中には動力スライドブロックがスライドできるように設置され、前記動力スライドブロックの前端と前記動力チャンバとの間には圧縮バネが固定的に設置され、前記動力スライドブロックの中にはモーターが固定的に設置され、前記モーターの後端には前記スプラインスリーブとスプラインによって連結されたスプライン軸が動力が伝達できるように連結され、前記動力チャンバの左端壁の中には噛み合いギヤが回転できるように設置され、前記噛み合いギヤが前記動力スライドブロックと噛み合っており、前記噛み合いギヤの芯棒の頂端が前記噛み合い溝の中に伸びており、前記芯棒が前記第二ベベルギヤと固定的に連結され、前記動力チャンバの右端壁の中には押し溝が連通するように設置され、前記押し溝の中には左端が前記動力スライドブロックとヒンジで連結された回転ロッドが回転できるように設置され、前記回転ロッドの右端には押しブロックがヒンジで連結され、前記押しブロックの前端が外部空間に伸びており、前記モーターが前記回転ブロックを駆動して回転させることができ、それによって四つの前記装飾品ブロックが間欠的に回転して装飾品を展示し、前記押しブロックを後方へ押し、それによって前記モーターが前記回転ブロックを駆動して回転させることを停止する。
【０００７】
さらなる技術プランには、前記通電装置は前記回転チャンバの後側面の中に連通するように設置された通電チャンバを含み、前記通電チャンバの中には外部空間の電源と通電できるようにに連結された電気貯蔵ブロックが取り付けられ、前記電気貯蔵ブロックの中には左右対称の通電溝が設置され、前記電気貯蔵ブロックの前側には通電板が設置され、前記通電板の後端面には左右対称の通電ブロックが通電できるようにに取り付けられ、前記通電ブロックが前記通電溝の中に差し込まれるように連結されて通電し、前記電線の下端が前記通電板と通電できるように連結され、前記通電板の前端には絶縁の移動ブロックが取り付けられ、前記移動ブロックの前端が前記回転チャンバの中に伸びており、前記通電チャンバの中にある前記移動ブロックにはトーションバネが嵌められるように設置され、前記支持ロッドが前記移動ブロックを後方へ押すと、前記通電ブロックが前記通電溝の中に差し込まれるように連結され、前記電線によって前記ライトが光る。
【０００８】
さらなる技術プランには、前記ロック解除装置は前記抜き溝の左側面の中に連通するように設置されたスライド溝を含み、前記スライド溝の中には前記引っ掛かり溝の中に引っ掛かるように連結されることができる引っ掛かりブロックがスライドできるように設置され、前記引っ掛かりブロックの左端と前記スライド溝との間には圧力バネが固定的に設置され、前記引っ掛かりブロックの中には当接溝が設置され、前記当接溝の中には推しブロックがスライドできるように設置され、前記推しブロックの前端が外部空間に伸びており、前記推しブロックの右側面には前記推しブロックを復帰させることができる復帰部品が固定的に設置され、前記透明カバー板が前記抜き溝を開けた時、前記引っ掛かりブロックが前記引っ掛かり溝の中に引っ掛かるように連結され、それによって前記透明カバー板の位置を固定することができ、前記推しブロックを後方へ押すと、前記引っ掛かりブロックが前記引っかかり溝との引っ掛かりから離脱し、それによって前記透明カバー板が自由に回転できる。
【発明の効果】
【０００９】
本発明の有益な効果は：本発明は構成が簡単で、操作が便利であり、装飾品が装飾品ラックの内部に置かれ、埃が積もることを防止する作用を持ち、そのほか、装飾品は装飾品ブロックにつれて固定の位置に回転した時、照明ライトは装飾品を明るく照らすことができ、観賞と取りのに便利を与え、また装飾品ブロックが回転する過程には、装飾品が落ちないように始終に保持でき、安定性がよい。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の回転可能な装飾品ラックの内部全体構造略図
【図２】図２は本発明の中の図１の中の「Ａ―Ａ」の拡大構造略図
【図３】図３は本発明の中の図１の中の「Ｂ―Ｂ」の拡大構造略図
【図４】図４は本発明の中の図１の中の「Ｃ―Ｃ」の拡大構造略図
【図５】図５は本発明の中の図１の中の「Ｄ―Ｄ」方向の構造略図
【図６】図６は本発明の中の図５の中の「Ｅ―Ｅ」の拡大構造略図
【発明を実施するための形態】
【００１２】
図１〜６を参照し、正面視で外側にはフレーム１０があり、内側には回転ブロック１３がある回転可能な装飾品ラックは、フレーム１０を含み、前記フレーム１０の中には回転チャンバ１１が設置され、前記回転チャンバ１１の中には回転ブロック１３が回転軸１４の回転によって設置され、前記回転チャンバ１１の前側面の中には回転装置１００が設置され、前記回転軸１４の前端が前記回転装置１００と動力が伝達できるように連結され、前記回転ブロック１３の外周には四組の前後対称の支持ロッド２９が均一に固定的に設置され、前記支持ロッド２９の間にはコンロッド３０が固定的に設置され、前記コンロッド３０には柱状回転ブロック３１が固定的に設置され、前記柱状回転ブロック３１の外周には四つの摩擦支持ブロック３４が均一に固定的に設置され、前記柱状回転ブロック３１には回転できる装飾品ブロック３２が嵌められるように取り付けられ、前記摩擦支持ブロック３４が前記装飾品ブロック３２の内壁と当接しており、それによって前記装飾品ブロック３２が回転しない時に前記柱状回転ブロック３１と安定的に連結され、前記装飾品ブロック３２には装飾品を置くことができる装飾品溝３３が設置され、前記回転チャンバ１１の内壁には四つの固定ブロック１２が固定的に設置され、前記固定ブロック１２は、前記支持ロッド２９が前記装飾品ブロック３２を回転連動させた時に前記装飾品ブロック３２に前記柱状回転ブロック３１を回って回転させ、それによって前記装飾品ブロック３２が始終に上方に開口しており、前記回転チャンバ１１の後端壁の中には通電装置２００が設置され、前記回転チャンバ１１の上側には抜き溝４３が外部空間と連通するように設置され、前記抜き溝４３の左右両側には対称の照明溝４４が連通するように設置され、前記照明溝４４の中には取り付けロッド４６が固定的に設置され、前記取り付けロッド４６にはＬＥＤライト４５が取り付けられ、前記ＬＥＤライト４５が前記通電装置２００と電線３９によって通電できるように連結され、前記抜き溝４３の中には透明カバー板４７が開閉軸４８によって回転できるように設置され、前記透明カバー板４７には引っ掛かり溝５２が設置され、前記抜き溝４３の左側面の中にはロック解除装置３００が設置され、前記ロック解除装置３００と前記引っ掛かり溝５２とが引っ掛かるように連結されることができ、前記抜き溝４３の右側面の中には噛み合い溝４９が連通するように設置され、前記開閉軸４８の右端が前記噛み合い溝４９の中に伸びており、また前記開閉軸４８の右端には第一ベベルギヤ５０が固定的に設置され、前記第一ベベルギヤ５０の下側には第二ベベルギヤ５１が噛み合うように連結され、前記第二ベベルギヤ５１が前記回転装置１００と動力が伝達できるように連結され、前記回転ブロック１３が回転し、それによって前記装飾品溝３３が間欠的に前記抜き溝４３の下側に回転し、前記ＬＥＤライト４５が前記装飾溝３３の中の装飾品を明るく照らし、また前記抜き溝４３によって装飾品を取ることができ、前記装飾品ブロック３２が回転して前記抜き溝４３から離れた時、前記ＬＥＤライト４５を消す。
【００１３】
有益なように、前記回転装置１００は前記回転チャンバ１１と連通している伝動チャンバ１５を含み、前記回転軸１４の前端が前記伝動チャンバ１５の中に伸びており、前記伝動チャンバ１５の中にある前記回転軸１４には四分の一の歯状の不規則ギヤ１６が固定的に設置され、前記不規則ギヤ１６の右側には回転ギヤ１７が噛み合うように連結され、前記回転ギヤ１７の軸心のところには後端が前記伝動チャンバ１５の後端壁と回転できるように連結されたスプラインスリーブ１８が固定的に設置され、前記伝動チャンバ１５の前側には動力チャンバ２２が連通するように設置され、前記動力チャンバ２２の中には動力スライドブロック２０がスライドできるように設置され、前記動力スライドブロック２０の前端と前記動力チャンバ２２との間には圧縮バネ２３が固定的に設置され、前記動力スライドブロック２０の中にはモーター２１が固定的に設置され、前記モーター２１の後端には前記スプラインスリーブ１８とスプラインによって連結されたスプライン軸１９が動力が伝達できるように連結され、前記動力チャンバ２２の左端壁の中には噛み合いギヤ２５が回転できるように設置され、前記噛み合いギヤ２５が前記動力スライドブロック２０と噛み合っており、前記噛み合いギヤ２５の芯棒２４の頂端が前記噛み合い溝４９の中に伸びており、前記芯棒２４が前記第二ベベルギヤ５１と固定的に連結され、前記動力チャンバ２２の右端壁の中には押し溝２７が連通するように設置され、前記押し溝２７の中には左端が前記動力スライドブロック２０とヒンジで連結された回転ロッド２６が回転できるように設置され、前記回転ロッド２６の右端には押しブロック２８がヒンジで連結され、前記押しブロック２８の前端が外部空間に伸びており、前記モーター２１が前記回転ブロック１３を駆動して回転させることができ、それによって四つの前記装飾品ブロック３２が間欠的に回転して装飾品を展示し、前記押しブロック２８を後方へ押し、それによって前記モーター２１が前記回転ブロック１３を駆動して回転させることを停止する。
【００１４】
有益なように、前記通電装置２００は前記回転チャンバ１１の後側面の中に連通するように設置された通電チャンバ３５を含み、前記通電チャンバ３５の中には外部空間の電源と通電できるようにに連結された電気貯蔵ブロック４０が取り付けられ、前記電気貯蔵ブロック４０の中には左右対称の通電溝４１が設置され、前記電気貯蔵ブロック４０の前側には通電板３８が設置され、前記通電板３８の後端面には左右対称の通電ブロック４２が通電できるようにに取り付けられ、前記通電ブロック４２が前記通電溝４１の中に差し込まれるように連結されて通電し、前記電線３９の下端が前記通電板３８と通電できるように連結され、前記通電板３８の前端には絶縁の移動ブロック３６が取り付けられ、前記移動ブロック３６の前端が前記回転チャンバ１１の中に伸びており、前記通電チャンバ３５の中にある前記移動ブロック３６にはトーションバネ３７が嵌められるように設置され、前記支持ロッド２９が前記移動ブロック３６を後方へ押すと、前記通電ブロック４２が前記通電溝４１の中に差し込まれるように連結され、前記電線３９によって前記ライト４５が光る。
【００１５】
有益なように、前記ロック解除装置３００は前記抜き溝４３の左側面の中に連通するように設置されたスライド溝５３を含み、前記スライド溝５３の中には前記引っ掛かり溝５２の中に引っ掛かるように連結されることができる引っ掛かりブロック５４がスライドできるように設置され、前記引っ掛かりブロック５４の左端と前記スライド溝５３との間には圧力バネ５５が固定的に設置され、前記引っ掛かりブロック５４の中には当接溝５６が設置され、前記当接溝５６の中には推しブロック５７がスライドできるように設置され、前記推しブロック５７の前端が外部空間に伸びており、前記推しブロック５７の右側面には前記推しブロック５７を復帰させることができる復帰部品５８が固定的に設置され、前記透明カバー板４７が前記抜き溝４３を開けた時、前記引っ掛かりブロック５４が前記引っ掛かり溝５２の中に引っ掛かるように連結され、それによって前記透明カバー板４７の位置を固定することができ、前記推しブロック５７を後方へ押すと、前記引っ掛かりブロック５４が前記引っかかり溝５２との引っ掛かりから離脱し、それによって前記透明カバー板４７が自由に回転できる。
【００１６】
初期状態の時、透明カバー板４７が抜き溝４３を閉鎖し、前記通電ブロック４２が通電溝４１の中に差し込まれるように連結されていなく、装飾品溝３３の中に装飾品が置かれている。
【００１７】
本装置は作動する時、モーター２１が作動してスプライン軸１９を駆動して回転させ、それによってスプラインスリーブ１８が回転ギヤ１７を回転連動させ、不規則ギヤ１６が回転し、それによって回転ブロック１３が間欠的に回転し、一つの装飾品ブロック３２が抜き溝４３の下側の相対した位置に回転した時、不規則ギヤ１６が回転ギヤ１７との噛み合いから離脱し、回転ブロック１３が回転を停止し、支持ロッド２９が移動ブロック３６を押して後方へ移動させ、それによって通電ブロック１３が通電溝４１の中に差し込まれるように連結され、それによって電気貯蔵ブロック４０が電線３９によってＬＥＤライト４５に給電し、ＬＥＤライト４５が装飾品溝３３の中の装飾品を明るく照らし、装飾品溝３３の中の装飾品を取り出す時、押しブロック２８を後方へ押し、それによって動力スライドブロック２０が前方へ移動し、圧縮バネ２３が圧縮され、それによってスプライン軸１９がスプラインスリーブ１８との連結から離脱し、回転ブロック１３が回転を停止し、動力スライドブロック２０が前方へ移動する過程において、噛み合いギヤ２５が回転し、それによって第二ベベルギヤ５１が回転し、それによって透明カバー板４７が回転して抜き溝４３を開け、この時に、引っ掛かりブロック５４が引っ掛かり溝５２の中に引っ掛かるように連結され、抜き溝４３によって装飾品溝３３の中の装飾品を取り出した後、推しブロック５７を後方へ押し、それによって引っ掛かりブロック５４が左方へ移動して引っ掛かり溝５２から離脱し、圧縮バネ２３の作用の下で、動力スライドブロック２０が後方へ移動し、それによって噛み合いギヤ２５が反転し、芯棒２４によって透明カバー板４７が反転して抜き溝４３を閉鎖し、それによって装置は初期状態に戻り、回転ブロック１３が装飾品ブロック３２を継続して回転連動させ、装飾品ブロック３２が抜き溝４３の位置をずらす位置まで回転した時、支持ロッド２９が移動ブロック３６から離脱し、それによって移動ブロック３６が前方へ移動して通電溝４１が通電ブロック４２から離脱し、ＬＥＤライト４５が停電して消え、装飾品ブロック３２が次の位置に回転する過程において、固定ブロック１２によって装飾品ブロック３２が柱状回転ブロック３１を回って回転し、それによって装飾品溝３３が始終に上方に開口しており、内部の装飾品が落ちない。
【００１８】
本発明の有益な効果は：本発明は構成が簡単で、操作が便利であり、装飾品が装飾品ラックの内部に置かれ、埃が積もることを防止する作用を持ち、そのほか、装飾品は装飾品ブロックにつれて固定の位置に回転した時、照明ライトは装飾品を明るく照らすことができ、観賞と取りのに便利を与え、また装飾品ブロックが回転する過程には、装飾品が落ちないように始終に保持でき、安定性がよい。
【００１９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。